(57)【要約】【課題】複数の機種で共通化された回路基板を備えた表示装置において、回路基板上のシステムマイコンの動作を、物理的なコネクタを用いることなく、切り替え可能とする。【解決手段】表示装置１は、複数の機種で共通化されたメイン基板２と、メイン基板２上に設けられ且つ複数の機種それぞれの設定値データを格納したＴＶマイコン２２とを備える。メイン基板２は、表示装置１の機種識別情報を格納した外部メモリ６を着脱可能に装着する外部メモリＩ／Ｆ２３と、外部メモリ６から表示装置１の機種識別情報を読み出すＣＰＵ２１とを備え、ＴＶマイコン２２は、外部メモリ６から読み出した表示装置１の機種識別情報に基づいて、複数の機種の設定値データの中から表示装置１の設定値データを特定し、特定した設定値データにより動作を切り替える。【選択図】図１
2011034065.tif 000002
【特許請求の範囲】
【請求項１】
複数の機種で共通化された回路基板と、該回路基板上に設けられ且つ該複数の機種それぞれの設定値データを格納したシステムマイコンとを備えた表示装置であって、
前記回路基板は、前記表示装置の機種識別情報を格納した外部メモリを着脱可能に装着する外部メモリインタフェースと、前記外部メモリから前記表示装置の機種識別情報を読み出す機種識別情報読出手段とを備え、
前記システムマイコンは、前記外部メモリから読み出した前記表示装置の機種識別情報に基づいて、前記複数の機種の設定値データの中から前記表示装置の設定値データを特定し、該特定した設定値データにより動作を切り替えることを特徴とする表示装置。
【請求項２】
請求項１に記載の表示装置において、前記外部メモリから読み出した前記表示装置の機種識別情報を格納するための記憶手段を備えたことを特徴とする表示装置。
【請求項３】
請求項２に記載の表示装置において、前記記憶手段は、前記複数の機種の設定値データの中から特定された前記表示装置の設定値データをさらに格納することを特徴とする表示装置。
【請求項４】
請求項１〜３のいずれか１項に記載の表示装置において、該表示装置の起動時に前記回路基板にのみ電力を供給する電力供給手段を備え、該電力供給手段は、前記システムマイコンの動作切替後に、前記回路基板以外の他の回路基板に電力を供給することを特徴とする表示装置。
【請求項５】
請求項２に記載の表示装置において、前記機種識別情報読出手段は、該機種識別情報読出手段の起動時に、前記外部メモリに前記表示装置の機種識別情報が格納されているか否かを判定し、前記外部メモリに前記表示装置の機種識別情報が格納されていると判定した場合に、前記外部メモリから読み出した前記表示装置の機種識別情報により、前記記憶手段に格納されている前記表示装置の機種識別情報を上書きすることを特徴とする表示装置。
【請求項６】
請求項２に記載の表示装置において、前記システムマイコンは、該システムマイコンの起動時に、前記記憶手段に前記表示装置の機種識別情報が格納されているか否かを判定し、前記記憶手段に前記表示装置の機種識別情報が格納されていないと判定した場合に、前記機種識別情報読出手段は、前記外部メモリから前記表示装置の機種識別情報を読み出すことを特徴とする表示装置。
【請求項７】
請求項１〜６のいずれか１項に記載の表示装置において、該表示装置の機種識別情報は、該表示装置の型番及び画面サイズを含むことを特徴とする表示装置。
【請求項８】
請求項３に記載の表示装置において、前記システムマイコンは、前記外部メモリ内に、該外部メモリに前記記憶手段の設定値データをコピーするように指示するコマンドが記憶されている場合、該コマンドに従って、前記外部メモリに前記記憶手段の設定値データをコピーした後に、動作を停止することを特徴とする表示装置。
【請求項９】
請求項３に記載の表示装置において、前記外部メモリに設定値データが格納されている場合、前記システムマイコンは、前記記憶手段の設定値データ及び前記外部メモリの設定値データにより動作設定を行った後に、前記外部メモリの設定値データを前記記憶手段に書き込むことを特徴とする表示装置。
【請求項１０】
請求項９に記載の表示装置において、前記システムマイコンは、前記外部メモリ内に、該外部メモリの設定値データを前記記憶手段に書き込むことを禁止するコマンドが記憶されている場合、該コマンドに従って、前記記憶手段への書き込みを禁止することを特徴とする表示装置。
【請求項１１】
請求項９又は１０に記載の表示装置において、前記記憶手段の設定値データと前記外部メモリの設定値データとは異なることを特徴とする表示装置。
【請求項１２】
請求項１〜１１のいずれか１項に記載の表示装置を備えたテレビ受信装置。
【請求項１３】
複数の機種で共通化された回路基板と、該回路基板上に設けられ且つ該複数の機種それぞれの設定値データを格納したシステムマイコンと、前記回路基板上に設けられた外部メモリインタフェースとを備えた表示装置の起動方法であって、
前記表示装置の起動時に前記回路基板にのみ電力を供給するステップと、前記外部メモリインタフェースに装着された外部メモリから前記表示装置の機種識別情報を読み出すステップと、該読み出した前記表示装置の機種識別情報に基づいて、前記複数の機種の設定値データの中から前記表示装置の設定値データを特定し、該特定した設定値データにより前記システムマイコンの動作を切り替えるステップと、該システムマイコンの動作切替後に、前記回路基板以外の他の回路基板に電力を供給するステップとを備えたことを特徴とする表示装置の起動方法。
【発明の詳細な説明】
【技術分野】
【０００１】
本発明は、表示装置、テレビ受信装置、及び表示装置の起動方法に関し、より詳細には、複数の機種で共通化された回路基板を備え、その回路基板に設けられたシステムマイコンの動作を機種に応じて切り替え可能な表示装置、テレビ受信装置、及び該表示装置の起動方法に関する。
【背景技術】
【０００２】
従来、テレビ装置などの表示装置においては、コストの低減等を目的として、１つの回路基板を複数の機種で共通化して使用できるようにしている。例えば、システムマイコンを搭載したメイン基板に異なる液晶モジュールを接続する場合があるが、液晶モジュール毎に起動シーケンスが異なることがあるため、液晶モジュールの電源を起動させる前に、メイン基板（システムマイコン）側で起動シーケンスを切り替える必要がある。また、液晶モジュールに応じて制御ポートの入出力が入れ替わることがあるため、液晶モジュールの電源を起動させる前に、メイン基板側で制御ポートの入出力を変更する必要がある。
【０００３】
また、１つのメイン基板で製品仕様を切り替えて使用する場合も考えられる。例えば、ビデオ入力が４ポートの機種と、ビデオ入力が３ポートの機種とに対応できるように、予めビデオ入力として４ポートを実装しておくことがある。このような場合には、ビデオ入力のポート数に応じてシステムマイコンの動作を切り替えて、ＯＳＤ（On Screen Display）表示等を設定する必要がある。
【０００４】
このように、システムマイコンを含む回路基板を複数の機種で共通化して使用する場合には、起動シーケンスや製品仕様などに応じて、システムマイコン側でその動作を切り替える必要がある。この動作切替処理は、製造工程においてメイン基板に液晶モジュールを接続したとき、あるいは、客先での修理でメイン基板を交換するとき等に実施される。従来のテレビ装置におけるシステムマイコンの動作切替方法について下記の図７，図８に基づいて説明する。
【０００５】
図７は、従来の表示装置におけるシステムマイコンの動作切替方法を説明するための要部構成を示すブロック図で、図中、１００は表示装置を示す。この表示装置１００は、液晶パネル（図示せず）の駆動表示に必要なタイミングパルスを出力するコントローラ１０１と、表示装置１００の動作を制御するメイン基板１０２と、各部に電力を供給する電源ユニット１０３と、液晶パネルのバックライトを駆動させるインバータ１０４とを備える。また、メイン基板１０２は、下記の図６に示すコネクタ１０２ａと、システムマイコン１０２ｂと、各種調整値やユーザ設定値などを保存するメモリ１０２ｃとを備える。
【０００６】
図８は、図７に示すコネクタ１０２ａの外観構成を示す図である。図８（Ａ）はコネクタ１０２ａを上面から見た図、図８（Ｂ）はコネクタ１０２ａを斜めから見た図である。システムマイコン１０２ｂに異なる動作をさせるために、コネクタ１０２ａには、＃１〜＃８の８つのポートが予め割り当てられており、各ポートのＨｉｇｈ／Ｌｏｗを切り替えて、システムマイコン１０２ｂの動作を切り替えている。具体的には、図８（Ｂ）に示すプラグ１０５を、コネクタ１０２ａが備えるポート＃１〜＃８のいずれかに挿入する。この例では、ポート＃６の位置にプラグ１０５がセットされている。システムマイコン１０２ｂは、このときのビット配列を読み取って、その動作を切り替えている。
【０００７】
現在市販されているテレビ装置の多くは、システムマイコン内に、機種毎に異なる複数の設定値データ（例えば、音周波数特性テーブル，温度補正テーブルなど）を予め格納しており、テレビ装置のシステムマイコンに、上記のコネクタ及プラグにより機種識別情報（例えば、型番及び画面サイズ）を与えることで、複数の設定値データの中から自身の設定値データを特定することができる。そして、システムマイコンは、特定した設定値データに基づいて動作を切り替えることができる。
【０００８】
ここで、メモリカードを用いてファームウェア等のプログラムの更新を行う技術が知られている。例えば、特許文献１に記載の画像形成装置は、自装置の機種情報を記憶する機種情報記憶部と、複数の異なる機種の装置用の複数のプログラムが予め記録されたメモリカードにアクセスするアクセス部と、このメモリカードに記録された複数のプログラムの中から自装置の機種情報に基づいて自装置に適したプログラムを判別する判別部と、この判別したプログラムをメモリカードからプログラム格納部に転送する転送部とを備え、簡単な構成で、プログラムの更新を効率良く行えるようにしている。
【先行技術文献】
【特許文献】
【０００９】
【特許文献１】特開２００７−１５２２３号公報
【発明の概要】
【発明が解決しようとする課題】
【００１０】
前述の図７，図８において説明した方法により、テレビ装置のシステムマイコンの動作を切り替える場合、数ポートを予めシステムマイコンに割り当てておくため、全体として端子数が増えてしまうという問題がある。また、物理的なコネクタを配置していることで、このための部品代がかかるという問題がある。
【００１１】
これに対して、上記のコネクタの代わりに、外部メモリを使用して、システムマイコンに機種識別情報（型番及び画面サイズ）を与えることが考えられる。しかしながら、特許文献１に記載の技術は、外部メモリを画像形成装置のファームウェア等のプログラムの更新に使用しているに過ぎず、外部メモリを用いてテレビ装置におけるシステムマイコンの動作切替を行うものではないため、上記のような問題を解決することはできない。
【００１２】
また、製品の機能切替の方法として、調整用リモコン等を用いて手動で設定を変更する方法もあるが、リモコンを用いること、画面表示すること、が前提となっており、この方法では画面表示のための基本設定等を行うことはできない。また、設定内容には、機器内温度によって制限される機能に対して温度を設定する内容が含まれる場合もあり、このような機器の保護に関する設定は、機器のメインの機能を動作する前に設定を完了させなくてはならない。例えば、ＴＶであれば、画面表示や、音声出力、チューナによる受信動作の前に行う必要がある。
【００１３】
本発明は、上述のごとき実情に鑑みてなされたもので、複数の機種で共通化された回路基板を備えた表示装置において、回路基板に設けられたシステムマイコンの動作を、物理的なコネクタを用いることなく、切り替えできるようにすること、を目的とする。
【課題を解決するための手段】
【００１４】
上記課題を解決するために、第１の技術手段は、複数の機種で共通化された回路基板と、該回路基板上に設けられ且つ該複数の機種それぞれの設定値データを格納したシステムマイコンとを備えた表示装置であって、前記回路基板は、前記表示装置の機種識別情報を格納した外部メモリを着脱可能に装着する外部メモリインタフェースと、前記外部メモリから前記表示装置の機種識別情報を読み出す機種識別情報読出手段とを備え、前記システムマイコンは、前記外部メモリから読み出した前記表示装置の機種識別情報に基づいて、前記複数の機種の設定値データの中から前記表示装置の設定値データを特定し、該特定した設定値データにより動作を切り替えることを特徴としたものである。
【００１５】
第２の技術手段は、第１の技術手段において、前記外部メモリから読み出した前記表示装置の機種識別情報を格納するための記憶手段を備えたことを特徴としたものである。
【００１６】
第３の技術手段は、第２の技術手段において、前記記憶手段は、前記複数の機種の設定値データの中から特定された前記表示装置の設定値データをさらに格納することを特徴としたものである。
【００１７】
第４の技術手段は、第１〜第３のいずれか１の技術手段において、前記表示装置の起動時に前記回路基板にのみ電力を供給する電力供給手段を備え、該電力供給手段は、前記システムマイコンの動作切替後に、前記回路基板以外の他の回路基板に電力を供給することを特徴としたものである。
【００１８】
第５の技術手段は、第２の技術手段において、前記機種識別情報読出手段は、該機種識別情報読出手段の起動時に、前記外部メモリに前記表示装置の機種識別情報が格納されているか否かを判定し、前記外部メモリに前記表示装置の機種識別情報が格納されていると判定した場合に、前記外部メモリから読み出した前記表示装置の機種識別情報により、前記記憶手段に格納されている前記表示装置の機種識別情報を上書きすることを特徴としたものである。
【００１９】
第６の技術手段は、第２の技術手段において、前記システムマイコンは、該システムマイコンの起動時に、前記記憶手段に前記表示装置の機種識別情報が格納されているか否かを判定し、前記記憶手段に前記表示装置の機種識別情報が格納されていないと判定した場合に、前記機種識別情報読出手段は、前記外部メモリから前記表示装置の機種識別情報を読み出すことを特徴としたものである。
【００２０】
第７の技術手段は、第１〜第６のいずれか１の技術手段において、前記表示装置の機種識別情報は、該表示装置の型番及び画面サイズを含むことを特徴としたものである。
【００２１】
第８の技術手段は、第３の技術手段において、前記システムマイコンは、前記外部メモリ内に、該外部メモリに前記記憶手段の設定値データをコピーするように指示するコマンドが記憶されている場合、該コマンドに従って、前記外部メモリに前記記憶手段の設定値データをコピーした後に、動作を停止することを特徴としたものである。
【００２２】
第９の技術手段は、第３の技術手段において、前記外部メモリに設定値データが格納されている場合、前記システムマイコンは、前記記憶手段の設定値データ及び前記外部メモリの設定値データにより動作設定を行った後に、前記外部メモリの設定値データを前記記憶手段に書き込むことを特徴としたものである。
【００２３】
第１０の技術手段は、第９の技術手段において、前記システムマイコンは、前記外部メモリ内に、該外部メモリの設定値データを前記記憶手段に書き込むことを禁止するコマンドが記憶されている場合、該コマンドに従って、前記記憶手段への書き込みを禁止することを特徴としたものである。
【００２４】
第１１の技術手段は、第９又は第１０の技術手段において、前記記憶手段の設定値データと前記外部メモリの設定値データとは異なることを特徴としたものである。
【００２５】
第１２の技術手段は、第１〜第１１のいずれか１の技術手段における表示装置を備えたテレビ受信装置を特徴としたものである。
【００２６】
第１３の技術手段は、複数の機種で共通化された回路基板と、該回路基板上に設けられ且つ該複数の機種それぞれの設定値データを格納したシステムマイコンと、前記回路基板上に設けられた外部メモリインタフェースとを備えた表示装置の起動方法であって、前記表示装置の起動時に前記回路基板にのみ電力を供給するステップと、前記外部メモリインタフェースに装着された外部メモリから前記表示装置の機種識別情報を読み出すステップと、該読み出した前記表示装置の機種識別情報に基づいて、前記複数の機種の設定値データの中から前記表示装置の設定値データを特定し、該特定した設定値データにより前記システムマイコンの動作を切り替えるステップと、該システムマイコンの動作切替後に、前記回路基板以外の他の回路基板に電力を供給するステップとを備えたことを特徴としたものである。
【発明の効果】
【００２７】
本発明によれば、複数の機種で共通化された回路基板を備えた表示装置において、回路基板に設けられたシステムマイコンの動作を、外部メモリを用いたソフト的な方法で切り替えることにより、物理的なコネクタを不要にできるため、端子数の増加を抑制し、部品代を抑えることができる。
【図面の簡単な説明】
【００２８】
【図１】本発明の一実施形態に係る表示装置の要部構成例を示すブロック図である。
【図２】本発明による表示装置の起動シーケンスの一例について説明するためのフロー図である。
【図３】本発明による表示装置の起動シーケンスの他の例について説明するためのフロー図である。
【図４】図２または図３に示した表示装置の起動シーケンスの続きを説明するためのフロー図である。
【図５】本発明による表示装置の起動シーケンスの他の例について説明するためのフロー図である。
【図６】本発明による表示装置の起動シーケンスの他の例について説明するためのフロー図である。
【図７】従来の表示装置におけるシステムマイコンの動作切替方法を説明するための要部構成を示すブロック図である。
【図８】図７に示すコネクタの外観構成を示す図である。
【発明を実施するための形態】
【００２９】
以下、添付図面を参照しながら、本発明の表示装置、テレビ受信装置、及び該表示装置の起動方法に係る好適な実施の形態について説明する。
【００３０】
図１は、本発明の一実施形態に係る表示装置の要部構成例を示すブロック図で、図中、１は表示装置を示す。この表示装置１は、大きく分けて、メイン基板２、コントローラ基板３、電源ユニット４、及び液晶パネル５で構成され、メイン基板２には、例えば、ＵＳＢ（Universal Serial Bus）メモリなどの外部メモリ６を着脱可能に装着できるように構成されている。なお、本発明は、表示装置１を備えたテレビ受信装置の形態としてもよいことは言うまでもない。
【００３１】
表示装置１と外部メモリ６間をＢｌｕｅｔｏｏｔｈ等の無線で接続する形態としてもよい。また、外部メモリ６としては、上記のＵＳＢメモリ以外にも、ＳＤカード等のメモリカードであってもよく、ＲＦ(Radio Frequency)タグなどの記録媒体であってもよい。ＵＳＢメモリであれば、汎用的な記録媒体であるため、調達も容易である。また、ＳＤカードであれば、媒体が小さく、取り扱いが容易である。無線接続とした場合、非接触であるため、生産工程において直接接続する作業が不要であり、作業性の向上を図ることができる。ＲＦタグのような媒体であれば、無線によるメリットに加え、媒体を極めて小さくすることができるため、設置が容易である。
【００３２】
外部メモリ６には、表示装置１を識別するための機種識別情報として、例えば、表示装置１に固有の型番と、画面のインチサイズを示す画面サイズ情報とが予め格納されている。この機種識別情報は、所定のデータ形式（識別子）で記述されているため、外部メモリ６に他のデータと共に格納されていても識別が可能である。
【００３３】
メイン基板２は、ＨＤＭＩ（High Definition Multimedia Interface）入力，コンポーネント入力，コンポジット入力，チューナ入力などに対して各種の映像処理などを行うメインのＣＰＵ２１と、表示装置１のスタンバイ状態においてリモコン信号を受け付けるシステムマイコンに相当するＴＶマイコン２２と、外部メモリ６を着脱可能に装着するための外部メモリインタフェース（外部メモリＩ／Ｆ）２３と、各種調整値やユーザ設定値などを格納する不揮発性メモリの一例であるＥＥＰＲＯＭ（Electrically Erasable and Programmable ROM）２４とを備える。
【００３４】
また、コントローラ基板３は、コントローラＩＣ３１を備え、このコントローラＩＣ３１は、液晶パネル５の駆動表示に必要なタイミングパルスを液晶パネル５に出力する。パルス出力信号には、水平出力と垂直出力とがあり、パルスの仕様（種類、画素数など）に合わせてタイミング設計が行われている。
【００３５】
また、電源ユニット４は、ＡＣ電源を備え、ＴＶマイコン２２に電力を供給するバックアップ電源４１と、メイン基板２２及びインバータ５１に電力を供給するシステム電源４２と、コントローラＩＣ３１に電力を供給するコントローラＩＣ電源４３とで構成される。
【００３６】
また、液晶パネル５は、液晶層を挟んだ２枚の直交ニコルの関係を有した偏光板付ガラス基板からなり、バックライト装置（図示せず）の背面には、バックライト光源である蛍光管（例えば、ＣＣＦＬ：Cold Cathode Fluorescent Lamp）あるいはＬＥＤ（Light Emitting Diode）を駆動させるためのインバータ５１が設けられている。液晶パネル５は、映像信号処理された映像信号を液晶パネル５のクロック信号に応じて画素毎に所定の階調電圧として給電し、画面上に順次走査による映像表示処理を施すことで映像信号に応じた映像を表示する。インバータ５１は、バックライト光源に電力を供給する昇圧回路としてインバータトランスなどで構成され、このインバータトランスとしては、例えば、２つのコイルの電磁誘導効果によって互いのコイルの巻き数比に基づいて変圧する巻線型などがある。
【００３７】
本発明の主たる特徴部分は、複数の機種で共通化された回路基板を備えた表示装置において、回路基板に設けられたシステムマイコンの動作を、物理的なコネクタを用いることなく、切り替えできるようにすることにある。このための構成として、表示装置１は、複数の機種で共通化された回路基板に相当するメイン基板２と、メイン基板２上に設けられ且つ複数の機種それぞれの設定値データを格納したシステムマイコンに相当するＴＶマイコン２２とを備える。
【００３８】
そして、メイン基板３は、表示装置１の機種識別情報を格納した外部メモリ６を着脱可能に装着する外部メモリＩ／Ｆ２３と、外部メモリ６から表示装置１の機種識別情報を読み出す機種識別情報読出手段に相当するＣＰＵ２１とを備える。そして、ＴＶマイコン２２は、外部メモリ６から読み出した表示装置１の機種識別情報に基づいて、複数の機種の設定値データの中から表示装置１の設定値データを特定し、特定した設定値データにより動作を切り替える。
【００３９】
また、表示装置１は、表示装置１の起動時にメイン基板２にのみ電力を供給する電力供給手段に相当する電源ユニット４を備える。この電源ユニット４は、ＴＶマイコン２２の動作切替後に、メイン基板２以外の他の回路基板（コントローラ基板３，液晶パネル５）に電力を供給する。
【００４０】
ここで、ＴＶマイコン２２は内部にメモリを備え、そのメモリ内に、機種毎に異なる複数の設定値データを格納している。この設定値データとしては、機種（型番及び画面サイズ）毎に、音周波数特性テーブル、温度補正テーブル、バックライト光源の電圧調整曲線、製品仕様情報（ＨＤＭＩ端子数など）、仕向け地情報（日本向け，米国向けなど）等が含まれる。ＴＶマイコン２２は、例えば、表示装置１を機種Ａとし、メイン基板２をＡ〜Ｄの４機種で共通の基板とした場合、これら４つの機種Ａ〜Ｄそれぞれの設定値データを格納しているものとする。
【００４１】
ここで、上記の主な設定値データについて簡単に説明する。音周波数特性テーブルは、機種毎にスピーカが異なり、且つ、画面サイズの違いでスピーカの間隔が異なることにより、音質が変化するため、音声ＤＳＰ(Digital Signal Processor)の設定を変更するためのものである。具体的には、スピーカの出力特性を合わせるため、調整が必要な周波数に対して、イコライジングをし、異なるスピーカシステムでも同じ音質となるようにする。
【００４２】
また、温度補正テーブルは、画面サイズが異なることで、機器内温度が異なるため、各部品の上限温度にならないように、プロテクトをかけるためのものである。具体的には、メイン基板等に配置された温度測定用部品により基板温度を測定し、予め測定してある画面サイズ毎の各部品の温度との相関に基づき係数を設定し、プロテクトする値を算出する。
【００４３】
また、バックライト光源の電圧調整曲線は、液晶モジュール（画面サイズ）毎に液晶の透過率が異なるため、製品仕様に合わせるために、調光値を設定するためのものである。具体的には、調光の最大値は、設定可能な最大値とし、ユーザメニューで設定される設定値の最小値は、製品仕様のコントラスト値に合わせるようにし、この最小値をテーブル化している。なお、バックライト光源が蛍光管であっても、ＬＥＤであっても、同様に最小値を設定する。
【００４４】
また、１つの外部メモリ６には１つの機種識別情報が格納されている。本例の場合、表示装置１の機種識別情報（型番及び画面サイズ）が格納されているものとする。ＣＰＵ２１は、外部メモリＩ／Ｆ２３と接続されており、表示装置１を最初に起動させる時などに外部メモリ６から機種識別情報を読み込む。この際、機種識別情報は所定のデータ形式（拡張子）で記述されているため、ＣＰＵ２１は外部メモリ６に格納されているデータが機種識別情報であるか否かを判定することができる。
【００４５】
そして、ＣＰＵ２１は、外部メモリ６から読み込んだ機種識別情報をＴＶマイコン２２に送信する。ＴＶマイコン２２は、ＣＰＵ２１からの機種識別情報に基づいて、メモリ内の複数の設定値データの中から、表示装置１の設定値データを特定する。そして、ＴＶマイコン２２は、特定した設定値データに基づいてその動作を切り替え、取得した機種識別情報を記憶手段の一例であるＥＥＰＲＯＭ２４に保存する。
【００４６】
このように、上記構成によれば、複数の機種で共通化された回路基板を備えた表示装置において、回路基板に設けられたシステムマイコンの動作を、外部メモリを用いたソフト的な方法で切り替えることにより、物理的なコネクタを不要にできるため、端子数の増加を抑制し、部品代を抑えることができる。
【００４７】
図２は、本発明による表示装置１の起動シーケンスの一例について説明するためのフロー図である。なお、この起動シーケンスは、前述したように、製造工程において液晶モジュールを接続したとき、あるいは、客先での修理で基板を交換するとき等に実施されるものとする。
【００４８】
本例では、ＣＰＵ２１は、ＣＰＵ２１の起動時に、外部メモリ１に表示装置１の機種識別情報が格納されているか否かを判定する。そして、外部メモリ６に表示装置１の機種識別情報が格納されていると判定した場合、外部メモリ６から読み出した表示装置１の機種識別情報をＥＥＰＲＯＭ２４に保存する。すなわち、外部メモリ６が装着されている場合には、外部メモリ６が優先されるため、ＥＥＰＲＯＭ２４に表示装置１の機種識別情報が格納されている場合、外部メモリ６から読み出した表示装置１の機種識別情報で上書きされる。
【００４９】
まず、図２において、表示装置１は、電源ユニット４のＡＣ電源が投入されると（ステップＳ１）、電源ユニット４のバックアップ電源４１がオンされ（ステップＳ２）、さらに、バックアップ電源４１からＴＶマイコン２２へ電力が供給され、ＴＶマイコン２２が起動する（ステップＳ３）。そして、ＴＶマイコン２２からの指示に基づいて、電源ユニット４のシステム電源４２がオンされる（ステップＳ４）。
【００５０】
次に、システム電源４２からメイン基板２へ電力が供給され、メイン基板２が起動する（ステップＳ５）。メイン基板２のＣＰＵ２１は、外部メモリＩ／Ｆ２３に外部メモリ６が装着されているか否かを判定し（ステップＳ６）、外部メモリ６が装着されていると判定した場合（ＹＥＳの場合）、外部メモリ６に表示装置１の機種識別情報が格納されているか否かを判定する（ステップＳ７）。また、ステップＳ６において、外部メモリ６が装着されていないと判定した場合（ＮＯの場合）、ＴＶマイコン２２は、ＥＥＰＲＯＭ２４に表示装置１の機種識別情報が格納されているか否かを判定する（ステップＳ８）。
【００５１】
次に、ＣＰＵ２１は、ステップＳ７において、外部メモリ６に機種識別情報が格納されていると判定した場合（ＹＥＳの場合）、外部メモリ６から機種識別情報を読み込んで、これをＴＶマイコン２２へ送信する。ＴＶマイコン２２は、ＴＶマイコン２２の内部メモリに格納された複数の設定値データの中から、この機種識別情報に対応する設定値データを特定し、特定した設定値データに基づいて動作設定を行う（ステップＳ９）。また、ステップＳ７において、外部メモリ６に機種識別情報が格納されていないと判定した場合（ＮＯの場合）、ステップＳ８に移行する。なお、上記で特定した設定値データをＥＥＰＲＯＭ２４に記憶するようにしてもよい。
【００５２】
次に、ＴＶマイコン２２は、ステップＳ９で動作設定を行った後に、外部メモリ６から取得した機種識別情報をＥＥＰＲＯＭ２４に書き込んで保存する（ステップＳ１１）。なお、ステップＳ９とステップＳ１１とは順序を逆にしてもよい。この場合、外部メモリ６から取得した機種識別情報をＥＥＰＲＯＭ２４に書き込んで保存した後に、ＥＥＰＲＯＭ２４から機種識別情報を読み出して、この機種識別情報に対応する設定値データに基づいて動作設定を行う。
【００５３】
本例の場合、外部メモリ６に表示装置１の機種識別情報が格納されていると判定された場合、外部メモリ６が優先されるため、ＥＥＰＲＯＭ２４に表示装置１の機種識別情報が格納されていても、外部メモリ６から読み出した表示装置１の機種識別情報により、ＥＥＰＲＯＭ２４に格納されている表示装置１の機種識別情報が上書きされる。そして、ＴＶマイコン２２からの指示に基づいて、システム電源４２からインバータ５１へ電力が供給され、インバータ５１が起動する（ステップＳ１２）。
【００５４】
また、上記のステップＳ８において、ＥＥＰＲＯＭ２４に機種識別情報が格納されていると判定した場合（ＹＥＳの場合）、ＴＶマイコン２２は、ＥＥＰＲＯＭ２４から機種識別情報を読み込んで、この機種識別情報に対応する設定値データに基づいて動作設定を行い（ステップＳ１３）、ステップＳ１２に移行する。また、ステップＳ８において、ＥＥＰＲＯＭ２４に機種識別情報が格納されていないと判定した場合（ＮＯの場合）、ビープ音を鳴らすなどのエラー通知を行う（ステップＳ１０）。このエラー通知は、ビープ音の音源をメイン基板２に接続しておき、電力供給可能な状態にしておくことで実行可能である。以後、後述の図４に示すフローに移行する。
【００５５】
なお、上記ステップＳ１０でエラー通知があった場合、作業者（工場作業者またはサービス担当者など）は、表示装置１の機種識別情報が格納されている外部メモリ６を、表示装置１に装着し、ステップＳ１から処理を繰り返す。前述したように、１つの外部メモリ６には１つの機種識別情報が格納されるため、どの外部メモリにどの機種の機種識別情報を格納しているか作業者が判別できるようにしておくことが望ましい。
【００５６】
図３は、本発明による表示装置１の起動シーケンスの他の例について説明するためのフロー図である。なお、この起動シーケンスは、図２で説明した起動シーケンスと同様に、製造工程において液晶モジュールを接続したとき、あるいは、客先での修理で基板を交換するとき等に実施されるものとする。
【００５７】
本例では、初回起動時には外部メモリ６から機種識別情報が読み取られ、２回目以降はＥＥＰＲＯＭ２４から機種識別情報が読み取られるため、２回目以降の起動が高速化され、外部メモリ６を不要にすることができる。なお、再度外部メモリ６の機種識別情報をＥＥＰＲＯＭ２４に書き込みたい場合には、一旦ＥＥＰＲＯＭ２４の機種識別情報を消去した後に書き込み処理を行うことで対応することができる。
【００５８】
すなわち、ＴＶマイコン２２は、ＴＶマイコン２２の起動時に、ＥＥＰＲＯＭ２４に表示装置１の機種識別情報が格納されているか否かを判定する。そして、ＴＶマイコン２２によりＥＥＰＲＯＭ２４に表示装置１の機種識別情報が格納されていないと判定された場合（初回起動時）に、ＣＰＵ２１は、外部メモリ６から表示装置１の機種識別情報を読み出す。
【００５９】
まず、図３において、表示装置１は、電源ユニット４のＡＣ電源が投入されると（ステップＳ２１）、電源ユニット４のバックアップ電源４１がオンされ（ステップＳ２２）、さらに、バックアップ電源４１からＴＶマイコン２２へ電力が供給され、ＴＶマイコン２２が起動する（ステップＳ２３）。
【００６０】
そして、ＴＶマイコン２２は、ＥＥＰＲＯＭ２４に表示装置１の機種識別情報が格納されているか否かを判定し（ステップＳ２４）、ＥＥＰＲＯＭ２４に機種識別情報が格納されていないと判定した場合（ＮＯの場合）、ＴＶマイコン２２からの指示に基づいて、電源ユニット４のシステム電源４２がオンされる（ステップＳ２５）。また、ステップＳ２４において、ＥＥＰＲＯＭ２４に機種識別情報が格納されていると判定した場合（ＹＥＳの場合）、ステップＳ３３へ移行する。
【００６１】
次に、システム電源４２からメイン基板２へ電力が供給され、メイン基板２が起動する（ステップＳ２６）。メイン基板２のＣＰＵ２１は、外部メモリＩ／Ｆ２３に外部メモリ６が装着されているか否かを判定し（ステップＳ２７）、外部メモリ６が装着されていると判定した場合（ＹＥＳの場合）、外部メモリ６に表示装置１の機種識別情報が格納されているか否かを判定する（ステップＳ２８）。また、ステップＳ２７において、外部メモリ６が装着されていないと判定した場合（ＮＯの場合）、ビープ音を鳴らすなどのエラー通知を行う（ステップＳ２９）。エラー通知は、前述したように、ビープ音の音源をメイン基板２に接続しておき、電力供給可能な状態にしておくことで実行可能である。
【００６２】
そして、ＣＰＵ２１は、ステップＳ２８において、外部メモリ６に機種識別情報が格納されていると判定した場合（ＹＥＳの場合）、外部メモリ６から機種識別情報を読み込んで、これをＴＶマイコン２２へ送信する。ＴＶマイコン２２は、ＴＶマイコン２２の内部メモリに格納された複数の設定値データの中から、この機種識別情報に対応する設定値データを特定し、特定した設定値データに基づいて動作設定を行う（ステップＳ３０）。また、ステップＳ２８において、外部メモリ６に機種識別情報が格納されていないと判定した場合（ＮＯの場合）、ステップＳ２９に移行して、ビープ音を鳴らすなどのエラー通知を行う。
【００６３】
なお、上記ステップＳ２９でエラー通知があった場合、作業者（工場作業者またはサービス担当者など）は、表示装置１の機種識別情報が格納されている外部メモリ６を、表示装置１に装着し、ステップＳ２１から処理を繰り返す。
【００６４】
次に、ＴＶマイコン２２は、ステップＳ３０で動作設定を行った後に、外部メモリ６から取得した機種識別情報をＥＥＰＲＯＭ２４に書き込んで保存する（ステップＳ３１）。そして、ＴＶマイコン２２からの指示に基づいて、システム電源４２からインバータ５１へ電力が供給され、インバータ５１が起動する（ステップＳ３２）。
【００６５】
また、上記のステップＳ２４において、ＥＥＰＲＯＭ２４に機種識別情報が格納されていると判定した場合（ＹＥＳの場合）、ＴＶマイコン２２は、ＥＥＰＲＯＭ２４から機種識別情報を読み込んで、この機種識別情報に対応する設定値データに基づいて動作設定を行う（ステップＳ３３）。そして、ＴＶマイコン２２からの指示に基づいて、システム電源４２がオンされると（ステップＳ３４）、システム電源４２からメイン基板２へ電力が供給され（ステップＳ３５）、さらに、システム電源４２からインバータ５１へ電力が供給される（ステップＳ３６）。以後、後述の図４に示すフローに移行する。
【００６６】
図４は、図２または図３に示した表示装置１の起動シーケンスの続きを説明するためのフロー図である。まず、ＴＶマイコン２２からの指示に基づいて、コントローラＩＣ電源４３がオンされると（ステップＳ４１）、ＣＰＵ２１は、スケーリング処理後の映像信号をコントローラ基板３に出力する（ステップＳ４２）。次に、コントローラＩＣ電源４３からコントローラＩＣ３１に電力が供給され（ステップＳ４３）、コントローラＩＣ３１は、ＴＶマイコン２２からの指示に基づいて、液晶表示用映像信号を液晶パネル５に出力する（ステップＳ４４）。
【００６７】
次に、インバータ５１は、ＴＶマイコン２２からの指示に基づいて、動作を開始し（ステップＳ４５）、バックライト光源を点灯させ（ステップＳ４６）、液晶パネル５に、コントローラＩＣ３１から出力された液晶表示用映像信号を表示させる（ステップＳ４７）。
【００６８】
図５は、本発明による表示装置１の起動シーケンスの他の例について説明するためのフロー図である。本例では、前述の図２のフローにより特定された表示装置１の設定値データがＥＥＰＲＯＭ２４に記憶されていることを前提として説明する。本例の場合、ＴＶマイコン２２は、外部メモリ６内に、外部メモリ６にＥＥＰＲＯＭ２４の設定値データをコピーするように指示するコマンドが記憶されている場合、このコマンドに従って、外部メモリ６にＥＥＰＲＯＭ２４の設定値データをコピーした後に、動作を停止する。なお、本例のステップＳ５１〜Ｓ５６の処理は、前述の図２のステップＳ１〜Ｓ６と同様の処理であるため、ここでの説明は省略する。
【００６９】
表示装置１のＣＰＵ２１は、ステップＳ５６において、外部メモリ６が装着されていると判定した場合（ＹＥＳの場合）、外部メモリ６内にコピー指示のコマンドが記憶されているか否かを判定する（ステップＳ５７）。外部メモリ６内にコピー指示のコマンドが記憶されていると判定した場合（ＹＥＳの場合）、ＴＶマイコン２２及びＣＰＵ２１が、ＥＥＰＲＯＭ２４内に保存されている設定値データを外部メモリ６に書き込む（ステップＳ５８）。また、ステップＳ５７において、外部メモリ６内にコピー指示のコマンドが記憶されていないと判定した場合（ＮＯの場合）、ステップＳ６１に移行する。なお、ステップＳ６１〜Ｓ６７の処理は、前述の図２のステップＳ７〜Ｓ１３と同様の処理であるため説明は省略する。
【００７０】
そして、上記ステップＳ５８の後、ＴＶマイコン２２は、書き込み完了通知を行い（ステップＳ５９）、そのまま停止状態に移行する（ステップＳ６０）。このようにすることで、例えば、表示装置１が不調の場合などに、ユーザが表示装置１を動作させる前に、外部メモリ６に書き込まれたＥＥＰＲＯＭ２４の設定値データを確認することができる。この確認作業は外部メモリ６を例えばＰＣ（パーソナルコンピュータ）に接続することで容易に行うことができる。ＥＥＰＲＯＭ２４のデータに不適切な設定値があれば、ユーザがこれを変更することで、表示装置１の不調を改善させることができる。
【００７１】
図６は、本発明による表示装置１の起動シーケンスの他の例について説明するためのフロー図である。本例では、図５の例と同様に、前述の図２のフローにより特定された表示装置１の設定値データがＥＥＰＲＯＭ２４に記憶され、さらに、ＥＥＰＲＯＭ２４の設定値データにより動作設定を行うことを前提として説明する。ここで、外部メモリ６に設定値データを記憶可能とし、外部メモリ６に設定値データが記憶されていれば、ＴＶマイコン２２が、外部メモリ６の設定値データとＥＥＰＲＯＭ２４の設定値データとにより、動作設定を行い、動作設定完了後、外部メモリ６の設定値データをＥＥＰＲＯＭ２４に書き込む。なお、ＥＥＰＲＯＭ２４の設定値データと外部メモリ６の設定値データとが同じ設定項目で異なる値を持つものであれば、外部メモリ６の設定値データが優先され、また、異なる設定項目であれば、ＥＥＰＲＯＭ２４の設定値データに加え、外部メモリ６の設定値データが新たに追加される。
【００７２】
例えば、スピーカのパラメータ設定等の場合には、同一機種であっても、ユーザの要求に対応するために複数の設定値データを準備しておくことがある。そこで、このうちの１つの設定値データ（ＥＥＰＲＯＭ２４の設定値データとは異なる）を外部メモリ６に記憶しておき、この設定項目について、ＥＥＰＲＯＭ２４の設定値データの代わりに、外部メモリ６の設定値データを用いて、動作設定を行うことができる。ここで、外部メモリ６の設定値データをＥＥＰＲＯＭ２４に書き込む場合、ＥＥＰＲＯＭ２４の設定値データに対して、外部メモリ６の設定値データが同じ設定項目で異なる値であれば、上書きされ、異なる設定項目であれば、追記される。
【００７３】
また、ＴＶマイコン２２は、外部メモリ６内に、外部メモリ６の設定値データをＥＥＰＲＯＭ２４に書き込むことを禁止するコマンドが記憶されている場合、このコマンドに従って、外部メモリ６の設定値データをＥＥＰＲＯＭ２４に書き込むことを禁止する。この場合、外部メモリ６の設定値データにより表示装置１を暫定的に動作させ、ユーザあるいは作業者が表示装置１の音声出力等の状態を確認することができる。そして、外部メモリ６の設定値データがＥＥＰＲＯＭ２４に書き込まれることがないため、次回起動時は外部メモリ６の設定値データではなく、ＥＥＰＲＯＭ２４の設定値データで動作設定がなされる。なお、本例のステップＳ７１〜Ｓ７５の処理は、前述の図２のステップＳ１〜Ｓ５と同様の処理であるため、ここでの説明は省略する。
【００７４】
図６において、表示装置１のＣＰＵ２１は、ステップＳ７６において、外部メモリ６が装着されていると判定した場合（ＹＥＳの場合）、外部メモリ６内に設定値データが記憶されているか否かを判定する（ステップＳ７７）。また、外部メモリ６が装着されていないと判定した場合（ＮＯの場合）、ＴＶマイコン２２が、ＥＥＰＲＯＭ２４の設定値データを読み込んで、動作設定を行う（ステップＳ７８）。
【００７５】
次に、ＴＶマイコン２２は、ステップＳ７７において、外部メモリ６に設定値データが記憶されていると判定した場合（ＹＥＳの場合）、ＥＥＰＲＯＭ２４及び外部メモリ６の設定値データを読み込んで、これらの設定値データに基づいて動作設定を行う（ステップＳ７９）。また、外部メモリ６に設定値データが記憶されていないと判定した場合（ＮＯの場合）、ステップＳ７８に移行する。
【００７６】
次に、ＣＰＵ２１は、外部メモリ６内に書き込み禁止を指示するコマンドが記憶されているか否かを判定し（ステップＳ８０）、外部メモリ６内に書き込み禁止を指示するコマンドが記憶されていないと判定した場合（ＮＯの場合）、ステップＳ８１に移行して、ＴＶマイコン２２が、外部メモリ６の設定値データをＥＥＰＲＯＭ２４に書き込む。また、ステップＳ８０において、外部メモリ６内に書き込み禁止を指示するコマンドが記憶されていると判定した場合（ＹＥＳの場合）、ＥＥＰＲＯＭ２４への書き込みを行わず、ステップＳ８２に移行する。
【００７７】
ここで、外部メモリ６内に書き込み禁止を指示するコマンドを記憶しておくことにより、外部メモリ６の設定値データがＥＥＰＲＯＭ２４に書き込まれることがない。このため、表示装置１が次回起動した際に、ＥＥＰＲＯＭ２４の設定値データがそのまま使用され、ユーザは外部メモリ６の設定値データではなく、ＥＥＰＲＯＭ２４の設定値データによる設定内容に基づいて表示装置１を視聴することができる。また、ユーザあるいは作業者が外部メモリ６の設定値データにより所望の設定内容が得られると判断した場合には、外部メモリ６に上記コマンドを記憶しないことで、外部メモリ６の設定値データをＥＥＰＲＯＭ２４に書き込むことができる。
【符号の説明】
【００７８】
１…表示装置、２…メイン基板、３…コントローラ基板、４…電源ユニット、５…液晶パネル、６…外部メモリ、２１…ＣＰＵ、２２…ＴＶ（システム）マイコン、２３…外部メモリＩ／Ｆ、２４…ＥＥＰＲＯＭ、３１…コントローラＩＣ、４１…バックアップ電源、４２…システム電源、４３…コントローラＩＣ電源、５１…インバータ。
【図１】
2011034065.tif 000003
【図２】
2011034065.tif 000004
【図３】
2011034065.tif 000005
【図４】
2011034065.tif 000006
【図５】
2011034065.tif 000007
【図６】
2011034065.tif 000008
【図７】
2011034065.tif 000009
【図８】
2011034065.tif 000010
【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
複数の機種で共通化された回路基板と、該回路基板上に設けられ且つ該複数の機種それぞれの設定値データを格納したシステムマイコンとを備えた表示装置であって、
前記回路基板は、前記表示装置の機種識別情報を格納した外部メモリを着脱可能に装着する外部メモリインタフェースと、前記外部メモリから前記表示装置の機種識別情報を読み出す機種識別情報読出手段とを備え、
前記システムマイコンは、前記外部メモリから読み出した前記表示装置の機種識別情報に基づいて、前記複数の機種の設定値データの中から前記表示装置の設定値データを特定し、該特定した設定値データにより動作を切り替えることを特徴とする表示装置。
【請求項２】
請求項１に記載の表示装置において、前記外部メモリから読み出した前記表示装置の機種識別情報を格納するための記憶手段を備えたことを特徴とする表示装置。
【請求項３】
請求項２に記載の表示装置において、前記記憶手段は、前記複数の機種の設定値データの中から特定された前記表示装置の設定値データをさらに格納することを特徴とする表示装置。
【請求項４】
請求項１〜３のいずれか１項に記載の表示装置において、該表示装置の起動時に前記回路基板にのみ電力を供給する電力供給手段を備え、該電力供給手段は、前記システムマイコンの動作切替後に、前記回路基板以外の他の回路基板に電力を供給することを特徴とする表示装置。
【請求項５】
請求項２に記載の表示装置において、前記機種識別情報読出手段は、該機種識別情報読出手段の起動時に、前記外部メモリに前記表示装置の機種識別情報が格納されているか否かを判定し、前記外部メモリに前記表示装置の機種識別情報が格納されていると判定した場合に、前記外部メモリから読み出した前記表示装置の機種識別情報により、前記記憶手段に格納されている前記表示装置の機種識別情報を上書きすることを特徴とする表示装置。
【請求項６】
請求項２に記載の表示装置において、前記システムマイコンは、該システムマイコンの起動時に、前記記憶手段に前記表示装置の機種識別情報が格納されているか否かを判定し、前記記憶手段に前記表示装置の機種識別情報が格納されていないと判定した場合に、前記機種識別情報読出手段は、前記外部メモリから前記表示装置の機種識別情報を読み出すことを特徴とする表示装置。
【請求項７】
請求項１〜６のいずれか１項に記載の表示装置において、該表示装置の機種識別情報は、該表示装置の型番及び画面サイズを含むことを特徴とする表示装置。
【請求項８】
請求項３に記載の表示装置において、前記システムマイコンは、前記外部メモリ内に、該外部メモリに前記記憶手段の設定値データをコピーするように指示するコマンドが記憶されている場合、該コマンドに従って、前記外部メモリに前記記憶手段の設定値データをコピーした後に、動作を停止することを特徴とする表示装置。
【請求項９】
請求項３に記載の表示装置において、前記記憶手段の設定値データと同じ設定項目で且つ異なる設定値データが前記外部メモリに格納されている場合、前記システムマイコンは、前記同じ設定項目以外の設定項目に対して、前記記憶手段の設定値データにより動作設定を行い、前記同じ設定項目に対して、前記記憶手段の設定値データの代わりに前記外部メモリの設定値データにより動作設定を行った後に、前記外部メモリの設定値データを前記記憶手段に上書きにより書き込むことを特徴とする表示装置。
【請求項１０】
請求項３に記載の表示装置において、前記記憶手段の設定値データと異なる設定項目の設定値データが前記外部メモリに格納されている場合、前記システムマイコンは、前記異なる設定項目以外の設定項目に対して、前記記憶手段の設定値データにより動作設定を行い、前記異なる設定項目に対して、前記外部メモリの設定値データにより動作設定を行った後に、前記外部メモリの設定値データを前記記憶手段に追記により書き込むことを特徴とする表示装置。
【請求項１１】
請求項９又は１０に記載の表示装置において、前記システムマイコンは、前記外部メモリ内に、該外部メモリの設定値データを前記記憶手段に書き込むことを禁止するコマンドが記憶されている場合、該コマンドに従って、前記記憶手段への書き込みを禁止することを特徴とする表示装置。
【請求項１２】
請求項１〜１１のいずれか１項に記載の表示装置を備えたテレビ受信装置。
【請求項１３】
複数の機種で共通化された回路基板と、該回路基板上に設けられ且つ該複数の機種それぞれの設定値データを格納したシステムマイコンと、前記回路基板上に設けられた外部メモリインタフェースとを備えた表示装置の起動方法であって、
前記表示装置の起動時に前記回路基板にのみ電力を供給するステップと、前記外部メモリインタフェースに装着された外部メモリから前記表示装置の機種識別情報を読み出すステップと、該読み出した前記表示装置の機種識別情報に基づいて、前記複数の機種の設定値データの中から前記表示装置の設定値データを特定し、該特定した設定値データにより前記システムマイコンの動作を切り替えるステップと、該システムマイコンの動作切替後に、前記回路基板以外の他の回路基板に電力を供給するステップとを備えたことを特徴とする表示装置の起動方法。
【手続補正２】
【補正対象書類名】明細書
【補正対象項目名】００２２
【補正方法】変更
【補正の内容】
【００２２】
第９の技術手段は、第３の技術手段において、前記記憶手段の設定値データと同じ設定項目で且つ異なる設定値データが前記外部メモリに格納されている場合、前記システムマイコンは、前記同じ設定項目以外の設定項目に対して、前記記憶手段の設定値データにより動作設定を行い、前記同じ設定項目に対して、前記記憶手段の設定値データの代わりに前記外部メモリの設定値データにより動作設定を行った後に、前記外部メモリの設定値データを前記記憶手段に上書きにより書き込むことを特徴としたものである。
【手続補正３】
【補正対象書類名】明細書
【補正対象項目名】００２３
【補正方法】変更
【補正の内容】
【００２３】
第１０の技術手段は、第３の技術手段において、前記記憶手段の設定値データと異なる設定項目の設定値データが前記外部メモリに格納されている場合、前記システムマイコンは、前記異なる設定項目以外の設定項目に対して、前記記憶手段の設定値データにより動作設定を行い、前記異なる設定項目に対して、前記外部メモリの設定値データにより動作設定を行った後に、前記外部メモリの設定値データを前記記憶手段に追記により書き込むことを特徴としたものである。
【手続補正４】
【補正対象書類名】明細書
【補正対象項目名】００２４
【補正方法】変更
【補正の内容】
【００２４】
第１１の技術手段は、第９又は第１０の技術手段において、前記システムマイコンは、前記外部メモリ内に、該外部メモリの設定値データを前記記憶手段に書き込むことを禁止するコマンドが記憶されている場合、該コマンドに従って、前記記憶手段への書き込みを禁止することを特徴としたものである。